(57)【要約】【課題】  前処理部を退避揺動させる際に、分草杆と操作レバーの連繋解除を不要又は容易にする。【解決手段】  機体前部に連結される前処理部２の未刈り地側に、前処理部２の側部から張り出して未刈り茎稈を分草する分草作用姿勢と、前処理部２の側部に沿う格納姿勢とに変姿可能な分草杆１３を備えると共に、前処理部２を、縦軸２ａを中心として一側方に退避揺動可能なコンバイン１において、分草杆１３を、運転席６から操作可能な操作レバー１７に連繋し、該操作レバー１７の操作力で分草杆１３の姿勢切換えを行うにあたり、分草杆１３と操作レバー１７との間に、前処理部２の退避揺動を許容する融通手段（融通機構１９など）を介在させる。【選択図】        図４
2006129830.tif 000002
【特許請求の範囲】
【請求項１】
機体前部に連結される前処理部の未刈り地側に、前処理部の側部から張り出して未刈り茎稈を分草する分草作用姿勢と、前処理部の側部に沿う格納姿勢とに変姿可能な分草杆を備えると共に、前記前処理部を、縦軸を中心として一側方に退避揺動可能なコンバインにおいて、
前記分草杆を、運転席から操作可能な操作レバーに連繋し、該操作レバーの操作力で前記分草杆の姿勢切換えを行うにあたり、前記分草杆と前記操作レバーとの間に、前記前処理部の退避揺動を許容する融通手段を介在させたことを特徴とするコンバイン。
【請求項２】
機体前部に連結される前処理部の未刈り地側に、前処理部の側部から張り出して未刈り茎稈を分草する分草作用姿勢と、前処理部の側部に沿う格納姿勢とに変姿可能な分草杆を備えると共に、前記前処理部を、縦軸を中心として一側方に退避揺動可能なコンバインにおいて、
前記分草杆を、運転席から操作可能な操作レバーに連繋し、該操作レバーの操作力で前記分草杆の姿勢切換えを行うにあたり、前記分草杆と前記操作レバーを連繋機構を介して連繋すると共に、前記分草杆と前記操作レバーの連繋を、前記連繋機構の分草杆側で解除可能にしたことを特徴とするコンバイン。
【発明の詳細な説明】
【技術分野】
【０００１】
本発明は、前処理部の未刈り地側に、分草作用姿勢と格納姿勢に変姿可能な分草杆を備えるコンバインに関する。
【背景技術】
【０００２】
機体前部に連結される前処理部の未刈り地側に、前処理部の側部から張り出して未刈り茎稈を分草する分草作用姿勢と、前処理部の側部に沿う格納姿勢とに変姿可能な分草杆（ナローガイド）を備えるコンバインが知られている（例えば、特許文献１参照）。特許文献１に示される分草杆は、運転席から操作可能な操作レバーにワイヤを介して連繋されており、そのレバー操作力で姿勢切換えが行われるようになっている。
【特許文献１】特開２００４−１９４６２２号公報
【発明の開示】
【発明が解決しようとする課題】
【０００３】
ところで、一般に、コンバインの前処理部は、前処理部や機体前部のメンテナンスを容易にするために、走行機体から分離したり、或いは、縦軸を中心として機体一側方に退避揺動させることができるようになっている。しかしながら、特許文献１に記載のコンバインでは、前処理部の着脱（或いは退避揺動）に際し、操作レバーとワイヤの連繋を解除する必要があるため、前処理部の着脱作業（或いは退避揺動）が煩雑になるという問題がある。
【課題を解決するための手段】
【０００４】
本発明は、上記の如き実情に鑑みこれらの課題を解決することを目的として創作されたものであって、機体前部に連結される前処理部の未刈り地側に、前処理部の側部から張り出して未刈り茎稈を分草する分草作用姿勢と、前処理部の側部に沿う格納姿勢とに変姿可能な分草杆を備えると共に、前記前処理部を、縦軸を中心として一側方に退避揺動可能なコンバインにおいて、前記分草杆を、運転席から操作可能な操作レバーに連繋し、該操作レバーの操作力で前記分草杆の姿勢切換えを行うにあたり、前記分草杆と前記操作レバーとの間に、前記前処理部の退避揺動を許容する融通手段を介在させたことを特徴とする。このように構成すれば、分草杆と操作レバーの連繋を解除することなく、前処理部を退避揺動させることが可能になる。
また、機体前部に連結される前処理部の未刈り地側に、前処理部の側部から張り出して未刈り茎稈を分草する分草作用姿勢と、前処理部の側部に沿う格納姿勢とに変姿可能な分草杆を備えると共に、前記前処理部を、縦軸を中心として一側方に退避揺動可能なコンバインにおいて、前記分草杆を、運転席から操作可能な操作レバーに連繋し、該操作レバーの操作力で前記分草杆の姿勢切換えを行うにあたり、前記分草杆と前記操作レバーを連繋機構を介して連繋すると共に、前記分草杆と前記操作レバーの連繋を、前記連繋機構の分草杆側で解除可能にしたことを特徴とする。このように構成すれば、前処理部を退避揺動させるべく、分草杆と操作レバーの連繋を解除するにあたり、連繋機構の操作レバー側で連繋を解除する場合に比べ、位置的に解除作業が容易になる。
【発明を実施するための最良の形態】
【０００５】
［第一実施形態］
次に、本発明の実施形態について、図面に基づいて説明する。図面において、１はコンバインであって、該コンバイン1は、茎稈を刈り取る前処理部２と、刈り取った茎稈から穀粒を脱穀し、かつ、穀粒を選別する脱穀部３と、選別した穀粒が貯溜される穀粒タンク４と、脱穀済みの排稈を後処理する後処理部５と、運転席６や各種の操作具が配置される操作部７と、クローラ式の走行部８とを備えて構成されている。
【０００６】
前処理部２は、未刈り茎稈を分草しつつ導入するデバイダ９と、導入された茎稈を引き起す引起し装置１０と、茎稈の株元を切断する刈刃装置１１と、刈り取った茎稈を脱穀部３に向けて搬送する前処理搬送装置（図示せず）と、これらが組み付けられる前処理フレーム１２とを備えて構成され、コンバイン１の機体前部に対して昇降自在に連結されている。また、前処理部２は、機体前部のメンテナンスを容易にするために、縦軸２ａを中心として機体の一側方へ退避揺動できるようにしてある。
【０００７】
前処理部２の未刈り地側（左側部）には、未刈り茎稈を分草（倒れ込み規制）する分草杆１３が設けられている。分草杆１３は、前後を向く棒状の部材で形成されると共に、その前端部が、前処理部２の左側部前端側に左右揺動自在に連結されることにより、前処理部２の側部から張り出して未刈り茎稈を分草する分草作用姿勢と、前処理部２の側部に沿う格納姿勢とに変姿できるようになっている。尚、図面において、１４は機体の未刈り地側（左側部）に出没自在に設けられるステップ、１５はステップ１４と分草杆１３の間に介設される補助分草杆であるが、これらの有無は任意である。
【０００８】
機体前部の未刈り地側（左側部）には、左右揺動自在な揺動リンク１６が設けられている。揺動リンク１６の基端部は、運転席６から操作可能な操作レバー１７に対して、操作力伝達機構１８を介して連繋される一方、揺動リンク１６の先端部は、融通機構（融通手段）１９を介して分草杆１３に連結されている。つまり、操作レバー１７を操作すると、その操作力で揺動リンク１６が揺動し、分草杆１３の姿勢が切換えられる。以下、揺動リンク１６、操作レバー１７、操作力伝達機構１８及び融通機構１９の具体的な構成について説明する。
【０００９】
本実施形態の融通機構１９は、分草杆１３の後端側に並列状に設けられる連結レール１３ａと、揺動リンク１６の先端部に設けられ、連結レール１３ａに係合する係合フック１６ａとからなり、分草杆１３と揺動リンク１６の連結位置をスライド状に融通しつつ、揺動リンク１６の揺動に分草杆１３を追従させるように構成されている。尚、連結レール１３ａは、Ｕ字状に曲折する後端部が分草杆１３の後端部に挿入された状態で、分草杆１３に溶着された一対の固定プレート１３ｂに対し、ボルト１３ｃを介して着脱自在に固定されている。
【００１０】
本実施形態の揺動リンク１６は、緩やかなＳ字状に曲折した棒状の部材からなり、先端部に係合フック１６ａが設けられる一方、基端部にボス１６ｂ及び連結プレート１６ｃが設けられている。揺動リンク１６のボス１６ｂは、機体前部に設けられる揺動リンクブラケット２０の支軸部２０ａに回動自在に外嵌し、揺動リンク１６の左右揺動を許容している。
【００１１】
本実施形態の操作力伝達機構１８は、一対のワイヤ２１、２２（ボーデンワイヤ）で構成されている。ワイヤ２１、２２の揺動リンク側端部は、連結プレート１６ｃの両端部に連結されており、ワイヤ２１、２２の背反的な押し引きに応じて、連結プレート１６ｃがシーソー状に揺動し、揺動リンク１６を左右に揺動させる。尚、操作力伝達機構１８は、ワイヤ２１、２２に限定されないことは勿論であり、例えば、リンク機構で構成してもよい。
【００１２】
操作レバー１７は、操作レバーブラケット２３を介して機体フレーム（図示せず）に取り付けられ、操作レバーブラケット２３のレバーガイド溝２３ａに沿って前後方向に操作される。ワイヤ２１、２２の操作レバー側端部は、操作レバー１７の支軸２３ｂ位置を挟むように操作レバー１７の基端部に連結されており、操作レバー１７の操作に応じて、ワイヤ２１、２２が背反的に押し引きされる。これにより、揺動リンク１６は、操作レバー１７の操作力で揺動し、分草杆１３の姿勢を切換えることが可能になる。尚、本実施形態では、操作レバー１７の操作位置をレバーガイド溝２３ａの係合部２３ｃで保持するために、操作レバー１７の左右揺動を許容する第二の支軸１７ａと、操作レバー１７を左側方へ付勢するバネ１７ｂを備える。
【００１３】
叙述の如く構成された本実施形態において、操作レバー１７を格納位置に操作した状態では、分草杆１３が前処理部２の側部に沿って格納されている（図２参照）。この状態で操作レバー１７を分草作用位置に操作すると、揺動リンク１６が外側方に揺動し、分草杆１３の姿勢を分草作用姿勢に切り換える（図３参照）。そして、この状態では、分草杆１３と操作レバー１７の連繋を解除することなく、前処理部２を退避揺動させることができる（図４参照）。つまり、縦軸２ａを中心として前処理部２を一側方へ退避揺動させると、分草杆１３と揺動リンク１６の相対位置が変化するが、分草杆１３と揺動リンク１６の連結位置が融通機構１９によって融通されているので、分草杆１３や揺動リンク１６に無理な力を作用させることなく、前処理部２を退避揺動させることができる。これにより、分草杆１３と操作レバー１７の連繋解除を不要にし、前処理部２の退避操作を簡略化することができる。
【００１４】
しかも、本実施形態では、揺動リンク１６の揺動支点（支軸部２０ａ）を前処理部２の退避揺動支点（縦軸２ａ）の近傍に配置しているので、前処理部２を揺動退避させるとき、分草杆１３を円滑に揺動させながら、分草杆１３と揺動リンク１６の連結位置を融通させることができる。
【００１５】
［第二実施形態］
次に、本発明の第二実施形態について説明する。第二実施形態では、分草杆１３と操作レバー１７との間に、前処理部２の退避揺動を許容する融通手段を介在させるにあたり、この融通手段を操作レバー１７側で構成する点が第一実施形態と相違している。具体的には、操作レバー１７の操作位置を摩擦保持することにより、前処理部２の退避揺動を許容する。つまり、前処理部２を退避揺動させると、操作レバー１７が摩擦保持力に抗して動き、分草杆１３に作用する力を吸収する。このように構成しても、第一実施形態と同様に、分草杆１３と操作レバー１７の連繋を解除することなく、前処理部２を退避揺動させることが可能になる。
【００１６】
［第三実施形態］
次に、本発明の第三実施形態について説明する。第三実施形態では、前処理部２の退避揺動に際し、分草杆１３と操作レバー１７の連繋を解除するが、分草杆１３と操作レバー１７を連繋する連繋機構（揺動リンク１６、操作力伝達機構１８、融通機構１９など）の分草杆１３側で解除する点が従来例と相違している。具体的には、連結レール１３ａを取り外すことにより、分草杆１３と揺動リンク１６の連結を解除する方法や、揺動リンク１６を機体から取り外す方法が挙られる。このように構成すると、前処理部２を退避揺動させるべく、分草杆１３と操作レバー１７の連繋を解除するにあたり、連繋機構の操作レバー１７側で連繋を解除する場合のように、機体の中心部で解除作業を行うことなく、機体の外側で解除作業を行うことができるので、位置的に解除作業が容易になる。
【図面の簡単な説明】
【００１７】
【図１】コンバインの側面図である。
【図２】コンバインの分草杆格納状態を示す平面図である。
【図３】コンバインの分草杆張り出し状態を示す平面図である。
【図４】コンバインの前処理退避状態を示す平面図である。
【図５】揺動リンクと分草杆の連結部を示す平面図である。
【図６】揺動リンクと分草杆の連結部を示す斜視図である。
【図７】操作レバーの斜視図である。
【符号の説明】
【００１８】
１    コンバイン
２    前処理部
２ａ  縦軸
６    運転席
１３  分草杆
１６  揺動リンク
１７  操作レバー
１８  操作力伝達機構
１９  融通機構
【図１】
2006129830.tif 000003
【図２】
2006129830.tif 000004
【図３】
2006129830.tif 000005
【図４】
2006129830.tif 000006
【図５】
2006129830.tif 000007
【図６】
2006129830.tif 000008
【図７】
2006129830.tif 000009